(57)【特許請求の範囲】
【請求項１】
机等の家具における支柱部材の上下方向に所定間隔を有して形成された複数個の係止孔に係合する係止爪を有するブラケット部材が、横枠の左右両端部に、左右方向にスライド可能な状態に装着されて装着部材（横枠部材）として構成され、ブラケット部材は、常に内側方向あるいは外側方向に付勢され、係止爪が係止孔に係止されたとき、いずれかの方向に移動し、装着部材が上下左右方向に不測に移動するのを阻止することを特徴とする家具における部材の装着装置。
【請求項２】
ブラケット部材は常に内側方向にスライドするよう付勢され、係止孔は、係止爪が嵌入可能な嵌入部と、嵌入部の下方内側に連設され、係止爪が係止し、係止爪の上方への移動が阻止される係止部より構成されていることを特徴とする請求項１に記載の家具における部材の装着装置。
【請求項３】
ブラケット部材は、横枠の左右両端部に固定部材を介して取り付けられた案内部材に左右方向にスライド可能に装着され、案内部材とブラケット部材間に配設された引っ張りバネにて常に内側方向にスライドするよう付勢されていることを特徴とする請求項２に記載の家具における部材の装着装置。
【発明の詳細な説明】
【技術分野】
【０００１】
本発明は、机等の家具における支柱部材に形成された係止孔に、装着側に設けられたブラケット部材の係止爪を係合することにより、支柱部材に装着部材を着脱自在に装着する装置の構造に関するものである。
【背景技術】
【０００２】
従来、支柱部材に装着部材を装着する場合、支柱に上下方向に所定間隔を有して形成された係止孔に係脱自在な係止爪を後ろ向きに突設してなるブラケット本体と、該ブラケット本体に添設するようにした弾性板製の規制体とから成り、該規制体の後端に、前記支柱の係止孔に少なくとも上下不能に嵌る挿入部を形成し、前記ブラケット本体と規制体のうち一方には凸部を、他方には前記支柱の正面視で左右方向から前記凸部と嵌りあって規制体を上下動不能及び前後動不能に保持するようにした規制凹部を各々設け、更に、前記ブラケット本体に係合孔を穿設する一方、前記規制体には、前記ブラケット本体の係合孔に係合して規制体を左右移動不能に保持する爪片を規制体の弾性に抗して前記係合孔に係脱し得るよう設けたものがある。（例えば特許文献１）
【０００３】
この場合、支柱部材に装着部材を装着するとき、施工現場では、装着部材として、ブラケット本体と規制体の二つの部材が必要であった。
このため、製作現場（工場）からの出荷ミスによって、ブラケット本体に対し規制体の数が少なく、装着部材として完成できないことや、あるいは、ブラケット本体に規制体を装着する作業を失念し、そのため、地震等によって、ブラケット本体が落下する等の事故が発生する要因となっていた。
【先行技術文献】
【特許文献】
【０００４】
【特許文献１】実開平５−５１１２６公報
【発明の概要】
【発明が解決しようとする課題】
【０００５】
本発明は、支柱部材に装着部材を装着する場合、装着部材以外の部材（前記規制体、あるいは、ビス、ナット等）を必要とせず、施工現場での組立て効率が向上し、又、地震等の揺れに対しても、装着部材が支柱部材から外れる事がなく、棚上の物品の落下を防止するとともに、工場からの出荷部材を装着部材のみとすることで、出荷ミスを防ぐ、家具における部材の装着装置を提供することを課題とする。
【課題を解決するための手段】
【０００６】
上記課題を解決する為、本発明が第１の手段として構成したところは、机等の家具における支柱部材の上下方向に所定間隔を有して形成された複数個の係止孔に係合する係止爪を有するブラケット部材が、横枠の左右両端部に、左右方向にスライド可能な状態に装着されて装着部材（横枠部材）として構成され、ブラケット部材は、常に内側方向あるいは外側方向に付勢され、係止爪が係止孔に係止されたとき、いずれかの方向に移動し、装着部材が上下左右方向に不測に移動するのを阻止するものである。
【０００７】
次に上記課題を解決する為、本発明が第２の手段として構成したところは、上記第１の手段に加えて、ブラケット部材は常に内側方向にスライドするよう付勢され、係止孔は、係止爪が嵌入可能な嵌入部と、嵌入部の下方内側に連設され、係止爪が係止し、係止爪の上方への移動が阻止される係止部より構成されているものである。
【０００８】
次に上記課題を解決する為、本発明が第３の手段として構成したところは、上記第２の手段に加えて、ブラケット部材は、横枠の左右両端部に固定部材を介して取り付けられた案内部材に左右方向にスライド可能に装着され、案内部材とブラケット部材間に配設された引っ張りバネにて常に内側方向にスライドするよう付勢されているものである。
【発明の効果】
【０００９】
第１手段として構成したところによると、横枠とブラケット部材で装着部材（横枠部材）が構成されているので、工場からの出荷は装着部材（横枠部材）だけでよく、配送ミスの防止につながる。又、ブラケット部材が、左右方向にスライド可能な状態に装着されて、常に内側方向あるいは外側方向に付勢されているので、係止爪を係止孔に係止するだけで、ブラケット部材は、いずれかの方向に移動し、装着部材が上下左右方向に移動するのを阻止するから、施工現場の組み立てにおいて、ビス、ナット、あるいはその他の連結部材を必要としないので、組立て効率が向上し、又、地震等の揺れ、振動に対しても、装着部材が支柱部材から外れる事がなく、棚上の物品の落下を防止する
【００１０】
第２手段として構成したところによると、上記第１の手段として構成したところによる効果に加え、ブラケット部材は常に内側方向にスライドするよう付勢され、係止孔は、係止爪が嵌入可能な嵌入部と、嵌入部の下方内側に連設され、係止爪が係止し、係止爪の上方への移動が阻止される係止部より形成されているので、装着部材を支柱部材に装着する作業が、左右の係止爪を左右の係止孔の嵌入部に嵌入した後、下方に移動させるだけで、係止爪は係止部に移動し、装着部材は、不測に左右上下方向に移動しない状態に支柱部材に装着されるので、装着部材を支柱部材に装着する作業が、非常に簡単、確実で、作業効率の向上が図れる。
【００１１】
第３手段として構成したところによると、上記第１、第２の手段として構成したところによる効果に加え、ブラケット部材は、横枠の左右両端部に固定された案内部材に左右方向にスライド可能に装着され、案内部材とブラケット部材間に引っ張りバネが配設されて常に内側方向にスライドするよう付勢されているので、ブラケット部材が横枠から抜け落ちる恐れが無く、又、左右方向に大きく突出することもないので、装着部材の部材サイズをコンパクトにすることが出来る。
【図面の簡単な説明】
【００１２】
【図１】本発明を具備した棚付き机の正面略図である。
【図２】本発明を具備した棚付き机の側面略図である。
【図３】本発明の要部拡大正面略図である。
【図４】図３のＡ―Ａ線断面図である。
【図５】図３のＢ―Ｂ線断面図である。
【図６】図５のＣ部拡大図である。
【図７】（イ）ブラケット部材正面略図である。（ロ）ブラケット部材側面略図である。
【図８】（イ）案内部材正面略図である。（ロ）案内部材側面略図である。
【図９】（イ）固定部材正面略図である。（ロ）固定部材側面略図である。
【図１０】係止爪を係止部から嵌入部に逸脱させた状態での本発明の要部拡大正面略図である。
【発明を実施するための形態】
【００１３】
机等の家具における支柱部材の上下方向に所定間隔を有して形成された複数個の係止孔に係合する係止爪を有するブラケット部材が、左右両端部に取り付けられた横枠の左右両端部に、左右方向にスライド可能な状態に装着されて装着部材（横枠部材）として構成され、ブラケット部材は、横枠の左右両端部に固定部材を介して取り付けられた案内部材に左右方向にスライド可能に装着され、案内部材とブラケット部材間に配設された引っ張りバネにて常に内側方向にスライドするよう付勢され、係止孔は係止爪が嵌入可能な嵌入部と、嵌入部の下方内側に連設された係止部より形成され、係止爪が嵌入部の下端に係止されたとき、ブラケット部材は内側方向に移動して係止爪が係止部に係止し、装着部材が上下左右方向に不測に移動するのを阻止するものである。
【実施例】
【００１４】
以下、第１実施例を添付図面に基づいて詳述する。
図１、図２において、符号１００は棚付き机を示している。
棚付き机１００は、背中合わせに配設された机１、１と、互いの机１、１の後端に連結された棚部１０より構成されている。
背中合わせに配設された机１、１は同形に構成されているので、一方側についてのみ説明する。机１は、天板１１と、天板１１の左右端部下面に配設された左右脚１２、１２と、左右脚１２、１２の後端部間に連結された後幕板１３より構成されている。
【００１５】
棚部１０は、机１、１に連結された左右の支柱部材３、３と、支柱部材３、３の上端部間を連結する上枠４と、左右支柱部材３、３間の上下方向所定位置に配設された棚部材５・・・と、それぞれの棚部材５の上部で、左右支柱部材３、３間に配設された横枠部材６、６より構成されている。そして、横枠部材６は、棚部材５上に収納された物品が、後方に押し込み過ぎによる落下や、地震等よる振動で後方に落下しない高さに配設され、落下防止部材として機能する。
【００１６】
支柱部材３は、内部の縦方向に補強部材３１が設けられた、前後壁３２、３２、内外側壁３３、３３からなる断面中空略角柱状に形成され、前後壁３２、３２には、上下方向に所定間隔を有して複数個の係止孔７・・・が形成されている。
係止孔７は、後記する係止爪２４が嵌入可能な嵌入部７１と、嵌入部７１の下方内側に連設され、係止爪２３が係止し、係止爪２４の上方への移動が阻止される係止部７２より構成されている。
【００１７】
本発明で装着部材となる横枠部材６は、横枠６１と、横枠６１の左右両端部に固定部材９、９を介して連結される案内部材８、８と、案内部材８、８に左右方向にスライド自在に保持され、引っ張りバネ８０、８０にて常に内側方向にスライドするよう付勢されたブラケット部材２、２より構成されている。
【００１８】
横枠６１は、断面中空の略コ字形に形成された基枠６２と、基枠６２の後面側の端部を略コ字形に上下方向に折り曲げた上下補強枠部６３、６３より構成されている。
そして、ブラケット部材２は、支柱部材３に装着された状態で、支柱部材３の前後壁３２、３２に当接する前片２１と、前片２１の内側端部に連設され、支柱部材の３の内側壁３３と所定間隔を有する側片２２より断面横向きＬ字形に形成された基板２３と、前片２１の外側端部で、係止孔７、７間に対応して上下方向に所定間隔を有し、後方に連設され下向きに突出する係止爪２４、２４と、側片２２の端部で上下方向の中央部から内側方向に突出する案内支持突片２５より構成されている。
【００１９】
そして、係止爪２４は、係止孔７の嵌入部７１の高さ寸法に対応する高さで、前片２１と所定の間隙を有する嵌入係止部２４１（図７に示す。）と、嵌入係止部２４１の上端部で、係止孔７の係止部７２の高さ寸法に対応する高さで前片２１に連設される嵌入上がり止め部２４２より形成されている。
一方、案内支持突片２５には前記引っ張りバネ８０を装着するためのバネ装着用きり欠き孔２５１が左右方向に形成され、バネ装着用きり欠き孔２５１の基板２３側端部から所定寸法離れた位置に引っ張りバネ８０の端部を固定するため第１固定孔２５２が設けられている。
【００２０】
案内部材８（図８に示す。）は、前面基板８１の上下端部を後方に突出させた上下突出片８２、８２と、左右端部を後方に突出させた左右突出片８３、８３より成り、左右突出片８３、８３には、ブラケット部材２の案内支持突片２５を左右方向にスライド自在に保持する左右保持孔８３１、８３１が形成されている。そして、左突出片８３には、第１固定孔２５２に対応して、引っ張りバネ８０の他方側の端部を固定するため第２固定孔８３２が形成されている。
符号８３３は、左突出片８３に設けられた上下補強枠部６３、６３の逃がし用きり欠きを示している。
【００２１】
固定部材９（図９に示す。）は  後面基板９１の前端部を前方に突出させ、取り付け状態で、横枠６１の上下補強枠部６３、６３の端部の外側に当接する案内部材８の右突出片８３を上下補強枠部６３、６３と共に挟み込む固定用突出片９３と、後面基板９１の後端部の上下方向中央部を前方に突出させた、取り付け状態で横枠６１の上下補強枠部６３、６３間に位置する目隠し用突片９４より成り、後面基板９１の四隅には、上下補強枠部６３、６３にネジ止め連結するための連結孔９１１が設けられている。
【００２２】
本発明は上記の如く構成され、横枠部材６（装着部材）は、下記の手順にて工場（製作現場）で組立てられ、製品検査の後、施工現場に出荷される。
まず、案内部材８の左右保持孔８３１、８３１に、ブラケット部材２の案内支持突片２５
を貫挿させ、次に、引っ張りバネ８０の一端をブラケット部材２の第１固定孔２５２に、他端を案内部材８の第２固定孔８３２に固定し、ブラケット部材２を案内部材８にセットする。
【００２３】
そして、ブラケット部材２がセットされた案内部材８を横枠６１の左右端部側内面で、右突出片８３が横枠６１の上下補強枠部６３、６３の端部の外側に当接する状態に維持し、この案内部材８の右突出片８３を、固定部材９の固定用突出片９３と上下補強枠部６３、６３の端部で挟持固定する状態に、固定部材９を横枠６１の左右端部裏面側に位置せしめ、連結ネジ９０・・・にて、固定部材９、案内部材８、ブラケット部材２、横枠６１を一体化し、横枠部材６を一つの装着部材として工場（製作現場）で完成され、施工現場に出荷される。
【００２４】
そして、施工現場において、横枠部材６は支柱部材３、３間の所定高さに次のようにして装着される。
まず、一方側の係止爪２４、２４の嵌入係止部２４１、２４１を所定高さの係止孔７、７の嵌入部７１、７１に嵌入し、その状態の高さを維持しながら、横枠部材６を引っ張りバネ８０の弾溌力に抗して他方側に移動し、他方側の係止爪２４、２４の嵌入係止部２４１、２４１を同一高さの係止孔７、７の嵌入部７１、７１に嵌入すると、左右の引っ張りバネ８０が均等に引き合う状態に、ブラケット部材２、２は横枠６１より左右方向に飛び出した状態に維持される。そして、この状態から横枠部材６を下方に押しやると、嵌入係止部２４１、２４１が嵌入部７１、７１の下端に係止し、嵌入上がり止め部２４２、２４２が係止孔７、７の係止部７２、７２の高さに位置し、同時に、左右の引っ張りバネ８０、８０によって、内側方向にブラケット部材２、２が引っ張られ、嵌入上がり止め部２４２、２４２が係止孔７、７の係止部７２、７２内に移動する。
【００２５】
この状態で、横枠部材６は上下方向に移動するのを阻止され、同時に引っ張りバネ８０、８０によってブラケット部材２、２は内側方向に引っ張られているので、不測に左右方向に移動することもない。
すなわち、地震等の揺れ、振動によって、横枠部材６が支柱部材３、３から外れることが無く、棚上の物品が後方に落下することもない。
一方、横枠部材６を支柱部材３、３から取外すときは、横枠６１の左右位置を維持した状態で、一方側のブラケット部材２を外側方向に引き出し、係止孔７、７の係止部７２、７２から嵌入上がり止め部２４２、２４２を嵌入部７１、７１の下方に移動させ、さらに、上方に押し上げて、嵌入係止部２４１、２４１を嵌入部７１、７１内に位置せしめる。
次に、他方側も同様にして、嵌入係止部２４１、２４１を嵌入部７１、７１内に位置せしめた状態で横枠部材６を前方に移動させて、支柱部材３から取り外す。
【００２６】
このように構成される横枠部材６は、落下防止用だけではなく、横枠６１にモニターブラケットを設けて、モニター設置用のビーム材としたり、横枠６１に棚板を直接設けて棚板として使用したり、横枠６１に照明器具を取り付けて照明器具ブラケットとして使用したりと様々な用途に使用することができる。
【符号の説明】
【００２７】
１          机
１０        棚部
１００      棚付き机
２          ブラケット部材
２４        係止爪
２４１      嵌入係止部
２４２      嵌入上がり止め部
３          支柱部材
４          上枠
５          棚部材
６          横枠部材
６１        横枠
７          係止孔
７１        嵌入部
７２        係止部
８          案内部材
８０        引っ張りバネ
９          固定部材
【図１】
0006364339.tif 000002
【図２】
0006364339.tif 000003
【図３】
0006364339.tif 000004
【図４】
0006364339.tif 000005
【図５】
0006364339.tif 000006
【図６】
0006364339.tif 000007
【図７】
0006364339.tif 000008
【図８】
0006364339.tif 000009
【図９】
0006364339.tif 000010
【図１０】
0006364339.tif 000011